(57)【要約】【課題】離形紙・離型フィルム不要、票材抜出し防止可能、票材挿替え可能な収納袋の提供。【解決手段】袋主部１一端側の裏面部１ｒ端部に、両端方向外方に延出する裏面部延長部６を設け、裏面部延長部６の裏面部１ｒ側外面に耳部３を設ける。耳部３は、連結部位５から両端方向内方に延出する貼付け耳片３ａと、外方に延出する封口耳片３ｂとを備える。裏面部１ｒの貼付け耳片対向部位に第１の離型面を設け、貼付け耳片３ａの裏面部対向部位に第１の離型面に仮貼着させた第１の接着層７を設ける。使用時、第１の接着層７を第１の離型面から剥がしたうえで、裏面部延長部６を連結部位５付近で屈折させて封口耳片３ｂを表面部１ｆ側に反転させ、裏面部１ｒを貼着対象物Ｗに対向させて第１の接着層７を貼着対象物Ｗに貼着して封口耳片３ｂまたは裏面部延長部６で開口部２を覆う。【選択図】図３
0003150859.tif 000002
【実用新案登録請求の範囲】
【請求項１】
票材を差し入れ収納して貼着対象物に貼り付ける収納袋であって、
表面部と、前記貼着対象物に対向する裏面部とを有する封筒状の袋主部と、
袋主部一端に設けられて、前記袋主部の両端方向と直交する直交方向に沿って開口されて前記票材が挿通可能な開口部と、
袋主部他端に設けられた封止奥底端と、
袋主部一端側の裏面部端部に設けられて前記両端方向の外方に延出する裏面部延長部と、
前記裏面部延長部の裏面部側外面に、前記直交方向に沿った連結部位を介して連結された耳部と、
を備え、
前記耳部は、
前記連結部位から前記両端方向の内方に延出する貼付け耳片と、
前記連結部位から前記両端方向の外方に延出する封口耳片と、
を備え、
前記裏面部の貼付け耳片対向部位に第１の離型面を設け、
前記貼付け耳片の裏面部対向部位に前記第１の離型面に仮貼着させた第１の接着層を設け、
当該収納袋の使用時には、前記第１の接着層を前記第１の離型面から剥がしたうえで、前記裏面部延長部を前記連結部位付近で屈折させて前記封口耳片を表面部側に反転させ、この状態で前記裏面部を前記貼着対象物に対向させて前記第１の接着層を前記貼着対象物に貼着して、前記封口耳片または前記裏面部延長部によって前記開口部を覆う、
ことを特徴とする収納袋。
【請求項２】
前記耳部は、前記袋主部より屈曲強度が高い、
ことを特徴とする請求項１記載の収納袋。
【請求項３】
前記袋主部他端の前記表面部または前記裏面部を前記両端方向の外方に延長してなる貼付け片を、
さらに備え、
前記貼付け片を裏面部側に折り返して前記裏面部に重ね合わせ、
前記裏面部の貼付け片対向部位に第２の離型面を設け、
前記貼付け片の裏面部対向部位に前記第２の離型面に仮貼着させた第２の接着層を設け、
当該収納袋の使用時には、前記第２の接着層を前記第２の離型面から剥がしたうえで、前記貼付け片を表面部側に反転させて、前記第２の接着層を前記貼着対象物に貼着する、
ことを特徴とする請求項１または２記載の収納袋。
【請求項４】
前記貼付け片は、袋主部他端側の表面部端部を前記両端方向の外方に延長したうえでこの延長部位を折り重ねた表面部積層構造体からなり、
前記封止奥底端は、前記貼付け片の基端部と前記裏面部の他端とを連結封止したものである、
ことを特徴とする請求項３記載の収納袋。
【請求項５】
前記貼付け耳片は、
前記裏面部延長部の先端部を前記両端方向の内方に屈折させたうえで前記両端方向の内方に向けて前記第１の離型面を覆う位置まで延出させてなる第１の延出耳片部と、
前記第１の延出耳片部の先端部を前記両端方向の外方に屈折させたうえで前記両端方向の外方に向けて前記連結部位に至るまで延出させてなる第２の延出耳片部と、
を備え、
前記封口耳片は、前記第２の延出耳片部の先端部を前記両端方向の外方に向けて延出させてなる、
ことを特徴とする請求項１ないし４のいずれかに記載の収納袋。
【請求項６】
票材を差し入れ収納して貼着対象物に貼り付ける収納袋であって、
表面部と、前記貼着対象物に対向する裏面部とを有する封筒状の袋主部と、
袋主部端部の前記表面部または前記裏面部を前記袋主部の両端方向の外方に延長してなる貼付け片と、
を備え、
前記貼付け片を裏面部側に折り返して前記裏面部に重ね合わせ、
前記裏面部の貼付け片対向部位に離型面を設け、
前記貼付け片の裏面部対向部位に前記離型面に仮貼着させた接着層を設け、
当該収納袋の使用時には、前記接着層を前記離型面から剥がしたうえで、前記貼付け片を表面部側に反転させ、この状態で前記接着層を前記貼着対象物に貼着する、
ことを特徴とする収納袋。
【考案の詳細な説明】
【技術分野】
【０００１】
本考案は、納品伝票などの票材を挿し込み収納して配送箱などの貼着対象物に貼着に貼り付けておく収納袋に関する。
【背景技術】
【０００２】
旧来の収納袋は、一端から票材が挿抜可能な封筒状に形成された袋本体の側面に接着面が備えられ、この接着面に離型紙を貼り合せて構成されており、離型紙・離型フィルムを剥離して接着面を露出させることで収納袋を配送箱の適所に貼り付けるようになっている。また、近年では、離型紙・離型フィルムを用いない収納袋も開発されており、例えば、図１１，図１２に示すように、一端側に向かう開口部１０２を備えた透明な樹脂フィルムからなる封筒状の袋主部１０１の両端に、折り重ねた貼付け用耳片１１３，１１４を溶着あるいは接着により連結し、各貼付け用耳片１１３，１１４の折り重ね内面には接着層１０７，１０９を介在し、この貼付け用耳片１１３，１１４を引き拡げて接着層１０７，１０９を露出して配送箱などに貼り付けるように構成した収納袋Ｂが提案されている。
【先行技術文献】
【特許文献】
【０００３】
【特許文献１】実開平３−９５２６８号公報
【考案の概要】
【考案が解決しようとする課題】
【０００４】
上記した収納袋Ｂは、使用前の状態において接着層１０７，１０９を覆い隠す専用の離形紙・離型フィルムを必要とすることがなく、資材節約に有効となるものであるが、書類を挿し込み収納した収納袋Ｂを、開口部１０２が配送箱の貼付け面に向かうように貼り付けることで、袋主部１０１の開口部１０２を隠し、収納した票材が不用意に抜け出すことがないようにするものであり、票材の挿入間違いがあったような場合、貼り付けた収納袋を破いたり、剥がし取らねばならず、収納袋を無駄にするものであった。また、配送箱がダンボール製の場合には、不用意に収納袋を剥がし取ると、配送箱における袋貼り付け面の表皮が収納袋と共に剥ぎ取られて醜く損傷してしまうものであった。
【０００５】
本考案は、このような実情に着目してなされたものであって、離形紙を必要とすることなく配送箱に貼り付けることができることはもちろんのこと、収納した書類の抜け出しを防止できながら、貼り付け後においても必要に応じて書類の挿し替えを行うこともできる収納袋を提供することを主たる目的とするものである。
【課題を解決するための手段】
【０００６】
上記目的を達成するために、本考案は以下のように構成した。
【０００７】
第１の考案は、
票材を差し入れ収納して貼着対象物に貼り付ける収納袋であって、
表面部と、前記貼着対象物に対向する裏面部とを有する封筒状の袋主部と、
袋主部一端に設けられて、前記袋主部の両端方向と直交する直交方向に沿って開口されて前記票材が挿通可能な開口部と、
袋主部他端に設けられた封止奥底端と、
袋主部一端側の裏面部端部に設けられて前記両端方向の外方に延出する裏面部延長部と、
前記裏面部延長部の裏面部側外面に、前記直交方向に沿った連結部位を介して連結された耳部と、
を備え、
前記耳部は、
前記連結部位から前記両端方向の内方に延出する貼付け耳片と、
前記連結部位から前記両端方向の外方に延出する封口耳片と、
を備え、
前記裏面部の貼付け耳片対向部位に第１の離型面を設け、
前記貼付け耳片の裏面部対向部位に前記第１の離型面に仮貼着させた第１の接着層を設け、
当該収納袋の使用時には、前記第１の接着層を前記第１の離型面から剥がしたうえで、前記裏面部延長部を前記連結部位付近で屈折させて前記封口耳片を表面部側に反転させ、この状態で前記裏面部を前記貼着対象物に対向させて前記第１の接着層を前記貼着対象物に貼着して、前記封口耳片または前記裏面部延長部によって前記開口部を覆う。
【０００８】
この構成によると、使用前においては、貼付け耳片が第１の接着層を介して裏面部の外面に貼り合せ保持された状態にあり、第１の接着層が貼付け耳片で隠されることで、他物に不用意に接着してしまうことが回避される。
【０００９】
使用に際しては、先ず、配送伝票などの票材を、開口部から袋主部内に挿入する。次に、貼付け耳片を裏面部から剥がして表面部側に反転して、第１の接着層を裏面部側に向けて露出させた状態とし、このようにした収納袋を接着対象物（配送箱等）に貼り付ける。
【００１０】
接着対象物に貼り付けられた状態の収納袋では、開口部が、表面側に反転された裏面部延長部あるいは封口耳片で封じられるため、袋主部に収納された票材が不用意に袋主部から抜け出ることが阻止される。
【００１１】
開口部を覆う裏面部延長部あるいは封口耳部は強制的に捲り上げることが可能であり、票材を入れた収納袋を接着対象物に貼着した後でも、開口部を露出させて票材の抜き差しを行うことができる。そのため、票材を入れ間違った場合でも、速やかに差し替えを行うことができる。
【００１２】
また、貼着対象物に収納添付された票材は、収納袋を破ったり、剥がしたりすることなく抜き出すことができるので、袋貼り付け箇所が損傷しない綺麗な状態で貼着対象物を再使用することができる。
【００１３】
第２の考案は、上記第１の考案において、
前記耳部は、前記袋主部より屈曲強度が高いものである。
【００１４】
この構成によると、袋主部の裏面部から延長された耳部の一部である封口耳片によって裏面部延長部が開口部に弾性的に押さえつけられる、あるいは、封口耳片が直接に開口部に弾性的に押さえつけられることとなり、開口部を確実に閉じておくことができる。そのため、貼着対象物（配送箱等）の配送中に他物が接触しても開口部が露出されてしまうことが防止される。
【００１５】
第３の考案は、上記第１または第２の考案において、
前記袋主部他端の前記表面部または前記裏面部を前記両端方向の外方に延長してなる貼付け片を、
さらに備え、
前記貼付け片を裏面部側に折り返して前記裏面部に重ね合わせ、
前記裏面部の貼付け片対向部位に第２の離型面を設け、
前記貼付け片の裏面部対向部位に前記第２の離型面に仮貼着させた第２の接着層を設け、
当該収納袋の使用時には、前記第２の接着層を前記第２の離型面から剥がしたうえで、前記貼付け片を表面部側に反転させて、前記第２の接着層を前記貼着対象物に貼着する。
【００１６】
この構成によると、使用前においては、袋主部一端側の貼付け耳片が第１の接着層を介して袋主部の裏面部に貼り合せ保持されるとともに、袋主部他端側の貼付け片が第２の貼着材層を介して裏面部に貼り合せ保持された状態にあり、両接着層が貼付け耳片と貼付け片とで隠されることで、他物に不用意に接着してしまうことが回避される。
【００１７】
使用に際しては、先ず、配送伝票などの票材を、開口部から袋主部の内部に挿入する。次に、貼付け耳片を裏面部から剥がして表面部側に反転するとともに、貼付け片を裏面部から剥がして伸展することで、第１の接着層と第２の接着層とをそれぞれ裏面部側に向けて露出させた状態とし、このようにした収納袋を接着対象物に貼着することができる。
【００１８】
また、貼付け片は、袋主部他端を延長して形成するので、例えば、別体の貼付け片を別途用意して袋主部の他端に連結する構造のものに比べて、構成部材を少なくでき、製造コストの低減に有効となる。
【００１９】
第４の考案は、上記第３の考案において、
前記貼付け片は、袋主部他端側の表面部端部を前記両端方向の外方に延長したうえでこの延長部位を折り重ねた表面部積層構造体からなり、
前記封止奥底端は、前記貼付け片の基端部と前記裏面部の他端とを連結封止したものである。
【００２０】
この構成によると、２層構造の貼付け片は丈夫で摘みやすく、貼付け片を袋主部の裏面部から引き剥がす操作が容易となる。
【００２１】
第５の考案は、上記第１〜第４の考案において、
前記貼付け耳片は、
前記裏面部延長部の先端部を前記両端方向の内方に屈折させたうえで前記両端方向の内方に向けて前記第１の離型面を覆う位置まで延出させてなる第１の延出耳片部と、
前記第１の延出耳片部の先端部を前記両端方向の外方に屈折させたうえで前記両端方向の外方に向けて前記連結部位に至るまで延出させてなる第２の延出耳片部と、
を備え、
前記封口耳片は、前記第２の延出耳片部の先端部を前記両端方向の外方に向けて延出させてなる。
【００２２】
この構成によると、貼付け耳片と封口耳片とからなる耳部は、袋主部一端を延長して形成するので、例えば、別体の耳部を別途用意して袋主部一端に連結する構造のものに比べて、構成部材を少なくでき、製造コストの低減に有効となる。
【００２３】
第６の考案は、
票材を差し入れ収納して貼着対象物に貼り付ける収納袋であって、
表面部と、前記貼着対象物に対向する裏面部とを有する封筒状の袋主部と、
袋主部端部の前記表面部または前記裏面部を前記袋主部の両端方向の外方に延長してなる貼付け片と、
を備え、
前記貼付け片を裏面部側に折り返して前記裏面部に重ね合わせ、
前記裏面部の貼付け片対向部位に離型面を設け、
前記貼付け片の裏面部対向部位に前記離型面に仮貼着させた接着層を設け、
当該収納袋の使用時には、前記接着層を前記離型面から剥がしたうえで、前記貼付け片を表面部側に反転させ、この状態で前記接着層を前記貼着対象物に貼着する。
【００２４】
この構成によると、使用前においては、袋主部端部にある貼付け片が接着層を介して袋主部の裏面部に貼り合せ保持された状態にあり、接着層が貼付け片で隠されることで、他物に不用意に接着してしまうことが回避される。また、使用に際しては、貼付け片を裏面部から剥がして伸展し、接着層を裏面部側に向けて露出させた状態とし、このようにした収納袋を接着対象物（配送箱等）に貼着することができる。
【００２５】
また、貼付け片は、袋主部端部を延長して形成するので、例えば、別体の貼付け耳片を別途容易して袋主部に連結する構造のものに比べて、構成部材を少なくでき、製造コストの低減に有効となる。
【考案の効果】
【００２６】
このように、本考案によれば、離形紙を必要とすることなく配送箱に貼り付けることができることはもちろんのこと、収納した票材の抜け出しを防止できながら、貼り付け後においても必要に応じて票材の挿し替えを行うこともできる。また、貼付け片を袋主部から延長して形成することで、構成部材を少なくして製造コストを低減することも可能となる。
【図面の簡単な説明】
【００２７】
【図１】収納袋を表面側から見た斜視図である。
【図２】収納袋を裏面側から見た斜視図である。
【図３】収納袋の使用前の縦断側面図（ａ）、貼り付け用に展開した状態の縦断側面図（ｂ）、および、貼付け状態の縦断側面図（ｃ）である。
【図４】貼り付け操作過程を示す斜視図である。
【図５】配送箱への貼付け形態を示す斜視図である。
【図６】貼り付け後の書類抜き挿し状態を示す斜視図である。
【図７】別の実施例を示す収納袋を示す縦断側面図である。
【図８】更に別の実施例を示す収納袋を示す縦断側面図である。
【図９】更に別の実施例を示す収納袋を示す縦断側面図である。
【図１０】更に別の実施例を示す収納袋を示す縦断側面図である。
【図１１】収納袋の従来例を示す斜視図である。
【図１２】従来例の縦断側面図である。
【考案を実施するための形態】
【００２８】
以下、本考案の実施の形態を図面に基づいて説明する。図１に、本考案に係る収納袋Ａを表面側からみた斜視図が、図２に、収納袋Ａを裏面側からみた斜視図が、図３に、収納袋Ａを縦断した側面図がそれぞれ示されている。
【００２９】
この収納袋Ａは袋主部１を備える。袋主部１は、柔軟な透明樹脂フィルムからなる表面部１ｆと裏面部１ｒとを重ね合わせて、表面部側に開口部２が臨む横長の封筒状に成形される。開口部２は、袋主部１の長手方向の一端１ａに設けられる。開口部２は袋主部１の両端方向（図１の構成では長手方向となる）に直交する方向（以下、直交方向という）に沿って開口しており票材の一例である書類１０が挿通可能な開口大きさを備える。袋主部１の長手方向の他端１ｂは、封止されており袋主部１の封止奥底端１ｃとなっている。裏面部１ｒは貼着対象物の一例である配送箱Ｗに対向する。なお、上述した両端方向は、袋主部１の長手方向に限定されるものではない。
【００３０】
袋主部１の一端（両端方向の一方の端部）側には、裏面部１ｒの端部を両端方向の外方に延出してなる裏面部延長部６が設けられる。なお、裏面部延長部６は、裏面部１ｒと別体に設けて、裏面部１ｒに連結させてもよい。裏面部延長部６の裏面部側外面には、耳部３が接着される。耳部３は、直交方向に沿った連結部位５を介して耳部３に連結される。耳部３は、袋主部１より屈曲強度の高い透明樹脂フィルムから構成される。屈曲強度の選択は、例えば、材質の異なるフィルム部材の選定や、同一のフィルム部材の厚みの選定により実施することができる。
【００３１】
耳部３は、連結部位５から両端方向の内方に延出する貼付け耳片３ａと、連結部位５から両端方向の外方に延出する封口耳片３ｂとを備える。連結部位５は溶着、接着、あるいは、カシメなどの適宜接合手段によって形成される。貼付け耳片３ａは裏面部１ｒの表面ｓに対向する。貼付け耳片３ａの裏面部対向面（図３では上面）には第１の接着層７が横幅全域に亘って固着されており、貼付け耳片３ａが外面ｓに貼り合わせ保持されている。ここで、外面ｓは全面に亘ってシリコン系樹脂等のコーティング処理がなされており、第１の接着層７から剥離が可能な離型面となっている。
【００３２】
袋主部１の他端（両端方向の他方の端部）側には、貼付け片４が設けられる。貼付け片４は、表面部１ｆまたは裏面部１ｒ（図面では表面部１ｆ）を両端方向の外方に延長することで構成されており、裏面１ｒ側に折り返されている。折り返されて裏面部１ｒに対向する貼付け片４の裏面部対向面（図３では上面）には第２の接着層９が横幅全域に亘って固着されており、貼付け片４が裏面部１ｒの外面ｓに貼り合わせ保持されている。ここで、上述したように外面ｓには全面に亘ってシリコン系樹脂等のコーティング処理がなされており、外面ｓが第２の接着層９からの剥離が可能な離型面となっている。
【００３３】
貼付け片４は、袋主部１における表面部１ｆの延長部を折り重ねた２層構造に形成されており、貼付け片４の基部を袋主部１における裏面部１ｒの端部に３層に重ねて溶着、接着、あるいは、カシメなどの適宜接合手段によって横幅全域に亘って連結されており、この連結部位８が袋本体１の封止奥底端となっている。
【００３４】
なお、外面ｓに設けられた離型面は、本願考案における第１、第２の離型面を構成するが、第１の接着層７に対して機能する第１の離型面は、裏面部１ｒの貼付け耳片対向部位に選択的に設けてもよく、第２の接着層９に対して機能する第２の離型面は、裏面部１ｒの貼付け片対向部位に選択的に設けてもよい
本考案に係る収納袋Ａは以上のように構成されており、次にその使用形態を、図３および図４に基づいて説明する。
【００３５】
使用前の収納袋Ａは、図３（ａ）に示すように、袋主部一端側の貼付け耳片３が第１の接着層７を介して袋主部１における裏面部１ｒに貼り合せ保持されるとともに、袋主部他端側の貼付け片４が第２の接着層９を介して袋本体１における裏面部１ｒに貼り合せ保持された状態にあり、両接着層７，９が貼付け耳片３と貼付け片４とで隠されることで、他物に不用意に接着してしまうことが回避される。
【００３６】
使用に際しては、図４（ａ）に示すように、先ず、配送伝票などの書類１０を、その印字表面が袋主部１における表面部１ｆから透視できるように開口部２から袋主部１の内部に挿入する。
【００３７】
書類１０の挿入が済むと、図４（ｂ）に示すように、貼付け耳片３を袋主部１の裏面部１ｒから剥がして表面側に反転するとともに、貼付け片４を袋主部１の裏面部１ｒから剥がして伸展し、図３（ｂ），図４（ｃ）に示すように、第１、第２の接着層７，９をそれぞれ裏面部側に向けて露出させた状態とし、このようにした収納袋Ａを、裏面部１ｒを配送箱Ｗに対向させた状態で、配送箱Ｗの所定面に貼り付ける。
【００３８】
図５に、収納袋Ａをダンボール製の配送箱Ｗに貼り付ける例が示されており、（ａ）箱側面への貼り付け、（ｂ）あおり蓋の外面への貼り付け、（ｃ）あおり蓋の内面への貼り付け、などが適宜選択される。
【００３９】
配送箱Ｗに貼り付けられた状態の収納袋Ａは、図３（ｃ）に示すように、表面部側に反転された裏面部延長部６または封口耳部３ｂまたは連結部位５が上方から重ねられることで開口部２が封じられ、かつ、裏面部延長部６が、袋主部１より屈曲強度の高い（腰の強い）耳部３（封口耳部３ｂまたは連結部位５）によって弾性的に押さえつけられることで、確実な封口がなされ、収納した書類１０が不用意に抜け出ることが阻止される。
【００４０】
裏面部延長部６を押さえつける封口耳片３ｂまたは連結部位５は、連結部位５の両端方向の内側を支点として折り返された状態にあるので、図３（ｃ）中の仮想線で示すように、裏面部延長部６の先端部を摘み上げることで裏面部延長部６または封口耳片３ｂまたは連結部位５を強制的に捲り上げることが可能である。従って、書類１０を入れた収納袋Ａを配送箱Ｗに貼り付けた後でも、図６に示すように、裏面部延長部６または封口耳片３ｂまたは連結部位５を捲り上げて開口部２を露出させることで書類１０の抜き差しを行うことができ、書類１０を入れ間違った場合でも、速やかに差し替えを行うことができる。
【００４１】
また、配送された配送箱Ｗに収納添付された書類１０は、収納袋Ａを破ったり、剥がしたりすることなく抜き出すことができ、空になった配送箱Ｗを袋貼り付け箇所が損傷しない綺麗な状態で再使用することができる。
【００４２】
[他の実施例]
本考案は、以下のような形態で実施することもできる。
【００４３】
（１）上述した実施の形態では、袋本体１における裏面部１ｒを、耳部３との連結部位５より両端方向の外方に大きく延長して裏面部延長部６を形成し、この裏面部延長部６で開口部２を閉じるようにしているが、図７に示すように、耳部３の封口耳片３ｂのみで開口部２を閉じる形態で実施することもできる。
【００４４】
（２）収納袋１における他端（奥底）側での貼付け構造は上記実施例に限られるものではなく、例えば、図８に示すように、袋主部１の一端１ａ（開口部）側の貼付け構造を上記実施例と同様の構造に構成するとともに、袋主部１の他端１ｂ（奥底）側に、別体の貼付け片１１を溶着あるいは接着により連結したうえで、貼付け片１１を袋裏面部１ｒの外側に折り重ね、貼付け片１１の内面に固着した第２の接着層９を裏面部１ｒの外面ｓ（離型面）に剥離可能に貼付け保持し、さらに貼付け片１１を裏面部１ｒから剥離して伸展することで第２の接着層９を下向きに露出させる構造とすることもできる。
【００４５】
（３）図９に示すように、袋主部１における一端（開口）側の貼付け構造を上記実施例と同様の構造に構成するとともに、袋主部１の他端（奥底）側に、別体の貼付け片１２を溶着あるいは接着により連結し、この貼付け用片１２を折り重ねるとともに、貼付け片１２の基部における下向き内面に第２の接着層９を固着するとともに、貼付け片１２の遊端側における上向き内面ｓ’に第２の離型面を形成し、貼付け片１２を剥離して伸展することで第２の接着層９を下向きに露出させる構造とすることもできる。
【００４６】
（４）図１０に示すように、耳部を、袋主部１を一体に構成することもできる。すなわち、この耳部２０は、貼付け耳片２１と封口耳片２２とを備える。貼付け耳片２１は、第１の延出耳片部２３と、第２の延出耳片部２４とを備える。第１の延出耳片部２３は、裏面部延長部６の先端部６ａを袋主部１の両端方向の内方に屈折させたうえでさらに両端方向の内方に向けて第１の離型面（外面ｓ）が存在する裏面部１ｒの端部を覆う位置まで延出させて構成される。第２の延出耳片部２４は、第１の延出耳片部２３の先端部２３ａを袋主部１の両端方向の外方に屈折させたうえでさらに両端方向の外方に向けて連結部位５に至るまで延出させて構成される。封口耳片２２は、第２の延出耳片部２４の先端部２４ａを両端方向の外方に向けて延出させて構成される。
【００４７】
（５）上述した実施の形態では、袋主部１の他端（両端方向の他方の端部）側に設けた貼付け片４は積層構成となっている。具体的には、貼付け片４は表面部１ｆまたは裏面部１ｒ（図面では表面部１ｆ）を両端方向の外方に延長したうえで、裏面１ｒ側に折り返されている。しかしながら、貼付け片４は、このような構成に限定されるものではなく、表面部１ｆまたは裏面部１ｒを両端方向の外方に延長した構成（裏面１ｒ側に折り返されていない単層構成）であってもよい。
【００４８】
（６）連結部位５の両端方向の幅を十分に大きく設定すると、この幅広の連結部位５’が封口耳片として機能する。そのため、幅広の連結部位５’を設ける構成においては、この連結部位５’を封口耳片として機能させて封口耳片３ｂを割愛することができる。
【符号の説明】
【００４９】
１            袋主部
１ａ          袋主部の一端
１ｂ          袋主部の他端
１ｃ          封止奥底端
１ｆ          表面部
１ｒ          裏面部
２            開口部
３            耳部
３ａ          貼付け耳片
３ｂ          封口耳片
４            貼付け片
５            連結部位
６            裏面部延長部
７            第１の接着層
８            連結部位
９            第２の接着層
１０          書類
２０          耳部
２１          貼付け耳片
２２          封口耳片
２３          第１の延出耳片部
２３ａ        第１の延出耳片部の先端部
２４          第２の延出耳片部
２４ａ        第２の延出耳片部の先端部
ｓ            裏面部の外面
Ｗ            配送箱
【図１】
0003150859.tif 000003
【図２】
0003150859.tif 000004
【図３】
0003150859.tif 000005
【図４】
0003150859.tif 000006
【図５】
0003150859.tif 000007
【図６】
0003150859.tif 000008
【図７】
0003150859.tif 000009
【図８】
0003150859.tif 000010
【図９】
0003150859.tif 000011
【図１０】
0003150859.tif 000012
【図１１】
0003150859.tif 000013
【図１２】
0003150859.tif 000014